【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
中継装置の形成したネットワークに参加が可能な通信装置であって、
第１のネットワークを介してデータ処理装置との通信を確立し、前記データ処理装置とのデータ通信を行うデータ通信手段と、
前記データ処理装置から、前記データ処理装置が前記中継装置として前記第１のネットワークを形成したか否かを示す通知を受信する受信手段と、
インターネットを介したデータの送信または受信を制御する制御手段と、
前記データ処理装置が有するデータを前記インターネットに送信する所定の指示を含む指示を入力するための入力手段とを有し、
前記入力手段により前記所定の指示が入力され、かつ前記受信手段により前記データ処理装置が前記中継装置として前記第１のネットワークを形成したことを示す通知を受信した場合、前記データ通信手段は前記データ処理装置から前記第１のネットワークを介してデータを受信し、前記制御手段は前記第１のネットワークとは異なる第２のネットワークを介して前記受信したデータを前記インターネットに送信するよう制御し、
前記入力手段により前記所定の指示が入力され、かつ前記受信手段により前記データ処理装置が前記中継装置として前記第１のネットワークを形成したことを示す通知を受信していない場合、前記データ通信手段は前記データ処理装置から前記第１のネットワークを介してデータを受信し、前記制御手段は前記第１のネットワークを介して前記受信したデータを前記インターネットに送信するよう制御することを特徴とする通信装置。
【請求項２】
前記第２のネットワークは公衆網であり、
前記制御手段は前記インターネットを介したデータの送信または受信を前記第２のネットワークを介して行うよう制御することを特徴とする請求項１に記載の通信装置。
【請求項３】
前記公衆網は３ＧまたはＬＴＥによるネットワークであることを特徴とする請求項２に記載の通信装置。
【請求項４】
前記第２のネットワークは前記第１のネットワークを形成する中継装置とは異なる中継装置が形成するネットワークであって、
前記制御手段は前記インターネットを介したデータの送信または受信を前記第２のネットワークを介して行うよう制御することを特徴とする請求項１に記載の通信装置。
【請求項５】
前記受信手段により、前記データ処理装置が前記中継装置として前記第１のネットワークを形成したことを示す通知が受信された場合、前記制御手段は前記第１のネットワークから前記通信装置を離脱させることを特徴とする請求項１乃至４のいずれか１項に記載の通信装置。
【請求項６】
前記データ処理装置は、公衆網に接続する手段を有さないことを特徴とする請求項１乃至５のいずれか１項に記載の通信装置。
【請求項７】
前記データ処理装置は、ゲートウェイ機能を有さないことを特徴とする請求項１乃至６のいずれか１項に記載の通信装置。
【請求項８】
前記データ通信手段は、公衆網に接続する手段を有する中継装置が形成した第１のネットワークを介してデータ処理装置との通信を確立し、前記データ処理装置とのデータ通信を行うことが可能であることを特徴とする請求項１乃至７のいずれか１項に記載の通信装置。
【請求項９】
前記データ通信手段は、ゲートウェイ機能を有する中継装置が形成した第１のネットワークを介してデータ処理装置との通信を確立し、前記データ処理装置とのデータ通信を行うことが可能であることを特徴とする請求項１乃至８のいずれか１項に記載の通信装置。
【請求項１０】
前記中継装置は無線ＬＡＮネットワークにおけるアクセスポイントであることを特徴とする請求項１乃至９のいずれか１項に記載の通信装置。
【請求項１１】
前記通信装置は携帯電話であることを特徴とする請求項１乃至１０のいずれか１項に記載の通信装置。
【請求項１２】
中継装置の形成したネットワークに参加が可能な通信装置の制御方法であって、
第１のネットワークを介してデータ処理装置との通信を確立し、前記データ処理装置とのデータ通信を行うデータ通信工程と、
前記データ処理装置から、前記データ処理装置が前記中継装置として前記第１のネットワークを形成したか否かを示す通知を受信する受信工程と、
インターネットを介したデータの送信または受信を制御する制御工程と、
前記データ処理装置が有するデータを前記インターネットに送信する所定の指示を含む指示を入力するための入力工程とを有し、
前記入力工程で前記所定の指示が入力され、かつ前記受信工程で前記データ処理装置が前記中継装置として前記第１のネットワークを形成したことを示す通知を受信した場合、前記データ通信工程で前記データ処理装置から前記第１のネットワークを介してデータを受信し、前記制御工程では前記第１のネットワークとは異なる第２のネットワークを介して前記受信したデータを前記インターネットに送信するよう制御し、
前記入力工程で前記所定の指示が入力され、かつ前記受信工程で前記データ処理装置が前記中継装置として前記第１のネットワークを形成したことを示す通知を受信していない場合、前記データ通信工程で前記データ処理装置から前記第１のネットワークを介してデータを受信し、前記制御工程で前記第１のネットワークを介して前記受信したデータを前記インターネットに送信するよう制御することを特徴とする通信装置の制御方法。
【請求項１３】
コンピュータを、請求項１乃至１１のいずれか１項に記載の通信装置の各手段として機能させるコンピュータが実行可能なプログラム。
【手続補正２】
【補正対象書類名】明細書
【補正対象項目名】発明の名称
【補正方法】変更
【補正の内容】
【発明の名称】通信装置、その制御方法、プログラム
【手続補正３】
【補正対象書類名】明細書
【補正対象項目名】０００７
【補正方法】変更
【補正の内容】
【０００７】
本発明に係る通信装置は、中継装置の形成したネットワークに参加が可能な通信装置であって、第１のネットワークを介してデータ処理装置との通信を確立し、前記データ処理装置とのデータ通信を行うデータ通信手段と、前記データ処理装置から、前記データ処理装置が前記中継装置として前記第１のネットワークを形成したか否かを示す通知を受信する受信手段と、インターネットを介したデータの送信または受信を制御する制御手段と、
前記データ処理装置が有するデータを前記インターネットに送信する所定の指示を含む指示を入力するための入力手段とを有し、前記入力手段により前記所定の指示が入力され、かつ前記受信手段により前記データ処理装置が前記中継装置として前記第１のネットワークを形成したことを示す通知を受信した場合、前記データ通信手段は前記データ処理装置から前記第１のネットワークを介してデータを受信し、前記制御手段は前記第１のネットワークとは異なる第２のネットワークを介して前記受信したデータを前記インターネットに送信するよう制御し、前記入力手段により前記所定の指示が入力され、かつ前記受信手段により前記データ処理装置が前記中継装置として前記第１のネットワークを形成したことを示す通知を受信していない場合、前記データ通信手段は前記データ処理装置から前記第１のネットワークを介してデータを受信し、前記制御手段は前記第１のネットワークを介して前記受信したデータを前記インターネットに送信するよう制御することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】００７２
【補正方法】変更
【補正の内容】
【００７２】
ステップＳ６０８に進むと、制御部２０１は、ステップＳ６０５で選択したサムネイルに対応する画像データをデジタルカメラ１００に要求する。デジタルカメラ１００が要求に応じて画像データを携帯電話２００に送信すると、携帯電話２００は画像データを受信し、画像データを作業用メモリ２０４に保持する。画像データの受信中は表示部２０６に図７（ｅ）の画面を表示する。なお、携帯電話２００のユーザは図７（ｅ）のボタン７１２を選択することにより、受信を中止することができる。